(57)【要約】【課題】エスカレーター等の乗客コンベヤー上で掃除機を持ち歩くことなく移動手摺レールの清掃を容易かつ安全に行うことができる移動手摺清掃器具を提供する。【解決手段】移動手摺レール清掃器具１０は、移動手摺レール２の底面４を掃くためのブラシ１９が配置された器具本体１２と、器具本体１２に取り付けられ、移動手摺レール２において幅方向外側に突出した張り出し部８ａ，８ｂにウエスＷを押し付けた状態で保持するウエス保持部３０とを備える。【選択図】図１
2020011789.tif 000002
【特許請求の範囲】
【請求項１】
移動手摺レールの底面を掃くためのブラシが配置された器具本体と、
前記器具本体に取り付けられ、移動手摺レールにおいて幅方向外側に突出した張り出し部にウエスを押し付けた状態で保持するウエス保持部と、を備える、
移動手摺レール清掃器具。
【請求項２】
請求項１に記載の移動手摺レール清掃器具において、
前記器具本体は、前記移動手摺レールの一対の側壁の間に嵌り込むガイド部を有することを特徴とする、移動手摺レール清掃器具。
【請求項３】
請求項２に記載の移動手摺レール清掃器具において、
前記ブラシは前記ガイド部の先端に植設されていることを特徴とする、移動手摺レール清掃器具。
【請求項４】
請求項１〜３のいずれか一項に記載の移動手摺レール清掃器具において、
前記ウエス保持部はねじによって前記器具本体に取り付けられることを特徴とする、移動手摺レール清掃器具。
【請求項５】
請求項４に記載の移動手摺レール清掃器具において、
前記ねじは蝶ねじであることを特徴とする、移動手摺レール清掃器具。
【請求項６】
請求項５に記載の移動手摺レール清掃器具において、
前記蝶ねじが鎖又は紐でウエス保持部に繋げられていることを特徴とする、移動手摺レール清掃器具。
【請求項７】
請求項１〜６のいずれか一項に記載の移動手摺レール清掃器具において、
前記ウエス保持部は、移動手摺レールの張り出し部の上面、端面及び下面にウエスを押し付けるように側面Ｕ字状に曲がった形状を有することを特徴とする、移動手摺レール清掃器具。
【請求項８】
請求項７に記載の移動手摺レール清掃器具において、
前記ウエス保持部において前記張り出し部の下面に対向する内面には、前記ウエスに張力を付与するための突起が設けられていることを特徴とする、移動手摺レール清掃器具。
【発明の詳細な説明】
【技術分野】
【０００１】
本発明は、エスカレーター等の乗客コンベヤーの移動手摺レールを清掃するための器具に関する。
【背景技術】
【０００２】
エスカレーターを長期間に亘って運転しているとゴム製の移動手摺と移動手摺レールとの摩擦で移動手摺より削り取られた磨耗粉等が塵埃となって移動手摺レール上に蓄積する。そのため、エスカレーターの保守員等は、移動手摺レールから移動手摺を取り外して移動手摺レールを露出した状態とし、移動手摺レール上に蓄積した塵埃を掃除機で吸い取ることによって清掃することがある。
【０００３】
例えば、特許文献１には、移動手摺レール清掃器が開示されている。この移動手摺清掃器は、移動手摺レールの周囲を長手方向に沿って覆い被せるにように形成された掃除機吸引部と、掃除機吸引部の内面に移動手摺レールに接触するように形成されたブラシと、掃除機吸引部に設けた開口部の周囲に形成された吸引管接続用の継手部とを備えることが記載されている。
【先行技術文献】
【特許文献】
【０００４】
【特許文献１】特開平９−１１０３５８号公報
【発明の概要】
【発明が解決しようとする課題】
【０００５】
上記のように移動手摺レールを掃除機で吸引して清掃する場合、保守員等が掃除機を持ちながら階段状のエスカレーターを上り下りしながら清掃しなければならない。この場合、掃除機が重い為に移動手摺レールの清掃は保守員等の負担が大きい作業であり、また、掃除機を持ちながらエスカレーターを上り下りすると転倒する恐れもある。
【０００６】
さらに、コード式の掃除機の場合、延長コードを準備して電源接続する必要がある。したがって、この場合には延長コードの持参と接続作業が必要であり、清掃作業が煩雑なものとなる一因となっていた。加えて、延長コードがエスカレーター上に延在している状態で保守員等がエスカレーターを上り下りすると、足が延長コードに引っ掛かって転倒する恐れもある。
【０００７】
そこで、本発明の目的は、エスカレーター等の乗客コンベヤー上で掃除機を持ち歩くことなく移動手摺レールの清掃を容易かつ安全に行うことができる移動手摺清掃器具を提供することである。
【課題を解決するための手段】
【０００８】
本発明に係る移動手摺レール清掃器具は、移動手摺レールの底面を掃くためのブラシが配置された器具本体と、器具本体に取り付けられ、移動手摺レールにおいて幅方向外側に突出した張り出し部にウエスを押し付けた状態で保持するウエス保持部と、を備える。
【０００９】
この構成によれば、保守員等が移動手摺レール清掃器具を手に持ってエスカレーターを例えば上から下に降りながら移動手摺レールに沿って上記清掃器具を移動させることで、移動手摺レール上に蓄積した塵埃を下層階側の昇降口付近の移動手摺レール上に掃き集めることができる。このように掻き集めた塵埃は、例えば掃除機で吸引除去すればよい。このように本発明に係る移動手摺レール清掃器具によれば、エスカレーター上で掃除機を持ち歩くことなく移動手摺レールの清掃を容易かつ安全に行うことができる。また、このように塵埃を清掃するのと同時に、ウエス保持部によって押え付けられたウエスによって移動手摺レールの張り出し部を拭き掃除することもできる。
【００１０】
本発明に係る移動手摺レール清掃器具において、器具本体は、移動手摺レールの一対の側壁の間に嵌り込むガイド部を有してもよい。この構成によれば、移動手摺レールに沿って清掃器具を移動させる際にガイド部が案内機能を果たすことになり、移動手摺レールの清掃作業をより容易なものにすることができる。
【００１１】
また、本発明に係る移動手摺レール清掃器具において、ブラシはガイド部の先端に植設されていてもよい。この構成によれば、清掃時に移動手摺レールの側壁間に嵌り込んで配置されるガイド部の先端にブラシが植設されていることで、移動手摺レールの底面を掃くためのブラシの長さを短くすることができる。
【００１２】
また、本発明に係る移動手摺レール清掃器具において、ウエス保持部はねじによって器具本体に取り付けられてもよい。この構成によれば、ウエスの厚さが変化した場合でも良好な圧力でウエスを押し付けた状態でウエス保持部を器具本体にねじ止めして取り付けることができる。
【００１３】
この場合、ねじは蝶ねじであることが好ましい。この構成によれば、工具を用いることなく手で蝶ねじを締め付け又は緩めてウエス保持部を取り付け又は取り外し可能になり、清掃作業がより一層容易になる。
【００１４】
また、この場合、蝶ねじが鎖又は紐でウエス保持部に繋げられていてもよい。この構成によれば、蝶ねじがウエス保持部から脱落してしまうのを防止することができ、清掃作業の容易化に寄与することができる。
【００１５】
さらに、本発明に係る移動手摺レール清掃器具において、ウエス保持部は、移動手摺レールの張り出し部の上面、端面及び下面にウエスを押し付けるように側面Ｕ字状に曲がった形状を有することが好ましい。この構成によれば、移動手摺レールの底面の清掃時に移動手摺レールの張り出し部の上面、端面及び下面を同時にウエスで拭き掃除することができる。また、ウエス保持部がこのような形状を有することで、清掃器具を移動手摺レールに沿って移動させる際の案内機能を果たすことができ、移動手摺レールの清掃を安定して確実に行うことができる。
【００１６】
この場合、ウエス保持部において張り出し部の下面に対向する内面には、ウエスに張力を付与するための突起が設けられていてもよい。この構成によれば、ウエスを適度に張った状態でウエス保持部によって保持することができ、これによりウエスを移動手摺レールの張り出し部の上面、端面及び下面にしっかりと接触させて確実に拭き掃除することができる。
【発明の効果】
【００１７】
本発明に係る移動手摺レール清掃器具によれば、エスカレーター等の乗客コンベヤー上で掃除機を持ち歩くことなく移動手摺レールの清掃を容易かつ安全に行うことができる。
【図面の簡単な説明】
【００１８】
【図１】本発明の一実施形態である移動手摺レール清掃器具がエスカレーターの移動手摺レールに組み付けられた状態を示す（ａ）上面図、及び、（ｂ）正面図である。
【図２】移動手摺レールを示す（ａ）上面図、（ｂ）正面図、及び、（ｃ）側面図である。
【図３】移動手摺レールに、ウエスと、移動手摺レール清掃器具の器具本体とが組み付けられた状態を示す（ａ）上面図、（ｂ）正面図、及び、（ｃ）側面図である。
【図４】図３に示す移動手摺レール清掃器具の器具本体にウエス保持部が取り付けられる様子を示す（ａ）上面図、及び、（ｂ）正面図である。
【発明を実施するための形態】
【００１９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００２０】
図１は、本発明の一実施形態である移動手摺レール清掃器具（以下、適宜に「清掃器具」とだけいう。）１０がエスカレーターの移動手摺レール２に組み付けられた状態を示す（ａ）上面図、及び、（ｂ）正面図である。図２は、移動手摺レール２を示す（ａ）上面図、（ｂ）正面図、及び、（ｃ）側面図である。図１及び図２（図３及び図４でも同様）において、幅方向が矢印Ｘで示され、長さ方向が矢印Ｙで示され、高さ方向が矢印Ｚで示される。これらの３方向は互いに直交する関係にある。ここで、移動手摺レールの傾斜部分において高さ方向Ｚは鉛直方向に対して所定角度だけ傾いた上下方向に相当する。
【００２１】
図１（ａ），（ｂ）に示すように、本実施形態の清掃器具１０は、エスカレーターを構成する移動手摺のガイド部材である移動手摺レール２に取り付けられて用いられる。エスカレーターは、例えば定期的に保守員によって点検修理が行われるが、このとき保守員は移動手摺レール２から移動手摺（図示せず）を取り外した状態として、移動手摺レール２の清掃を行う。
【００２２】
図２（ａ）〜（ｃ）に示すように、移動手摺レール２は、例えば、ステンレス鋼板等の金属板を折り曲げ加工して製造される部材である。移動手摺レール２は、長さ方向Ｙに延在する長尺状の部材である。
【００２３】
移動手摺レール２は、幅方向Ｘ及び長さ方向Ｙを含む平面に沿って形成される底面４と、底面４の幅方向Ｘの両側縁部から上方に立設された一対の側壁６ａ，６ｂと、側壁６ａ，６ｂの上端から幅方向Ｘの外側にそれぞれ突出して形成された張り出し部８ａ，８ｂとを備える。本実施形態では、移動手摺レール２において、一対の側壁６ａ，６ｂは、底面４に対して直角に曲げられて形成されている。また、張り出し部８ａ，８ｂは、側壁６ａ，６ｂに対して直角に曲げられて底面４と平行をなすように形成されている。
【００２４】
図１及び図２では移動手摺レール２の長さ方向Ｙの一部だけが示されるが、移動手摺レール２は、エスカレーターが設置される建物の上層階と下層階との間に延在して配置される。移動手摺レール２は、上層階と下層階の間を傾斜して直線状に延在する傾斜部分と、傾斜部分の上端部及び下端部にそれぞれ連設される水平部分と、上層階及び下層階の水平部分にそれぞれ連設される半円弧状をなす湾曲部分とを有する。
【００２５】
無端状に形成されている移動手摺は、張り出し部８ａ，８ｂを含む移動手摺レール２の上部を覆って被せられた状態で設けられる。この状態で、移動手摺は、図示しない駆動ローラ等によって駆動され、移動手摺レール２に沿って移動する。移動手摺は、往路（上層階側から下層階側、又は、その逆）では、移動手摺レール２の傾斜部分、水平部分及び湾曲部分に被せられて露出した状態で移動する。これに対し、移動手摺は、復路では、エスカレーターを構成するトラスの内部を隠れた状態で移動する。
【００２６】
図１（ａ），（ｂ）を再び参照すると、清掃器具１０は、器具本体１２と、器具本体１２に取り付けられる一対のウエス保持部３０とを備える。器具本体１２は、例えば、金属板を曲げ加工して形成されるか、或いは、樹脂成型品によって好適に構成される。
【００２７】
器具本体１２は、移動手摺レール２の一対の張り出し部８ａ，８ｂの上に跨って配置される平板状のベース部１６と、ベース部１６の長さ方向Ｙの両側端縁部から垂下して形成された一対のガイド部１８と、ベース部１６の幅方向Ｘの両側端部に立設された一対の側
壁部２０とを有する。
【００２８】
器具本体１２のベース部１６は、一対の張り出し部８ａ，８ｂの上に幅方向両端部が載置された状態で支持される。器具本体１２のガイド部１８は、ベース部１６に対して直角に曲がった形状をなし、移動手摺レール２の一対の側壁６ａ，６ｂ間に嵌り込んで配置される。そのため、ガイド部１８の幅方向寸法は、移動手摺レール２の一対の側壁６ａ，６ｂ間の寸法よりも僅かに短く形成されている。具体的には、ガイド部１８の幅方向端縁部と移動手摺レール２の側壁６ａ，６ｂとの間に、例えば１〜２ｍｍ程度の隙間が形成されるようにガイド部１８の幅方向寸法が設定されるのが好ましい。
【００２９】
このようにガイド部１８が移動手摺レール２の一対の側壁６ａ，６ｂ間に嵌り込んで配置されることで、移動手摺レール２上で清掃器具１０を移動させる際に案内機能を果たすことができ、清掃作業を安定して行うことが可能になる。
【００３０】
移動手摺レール２の底面４に対向するガイド部１８の先端には、ブラシ１９が植設されている。ブラシ１９は、ガイド部１８の略全幅に亘って均一に設けられているのが好ましい。ブラシ１９の先端は、移動手摺レール２の底面４に接触している。これにより、移動手摺レール２に沿って清掃器具１０を移動させることで、底面４上に蓄積した塵埃を掃き集めることができる。
【００３１】
ブラシ１９は、一対のガイド部１８の先端にそれぞれ設けられている。これにより、移動手摺レール２の底面４に存在する塵埃等を掃き集める性能を良好なものにできる。また、ブラシ１９を器具本体１２のガイド部１８の先端に植設したことでブラシ１９の長さを短くすることができる。
【００３２】
なお、ブラシ１９はガイド部１８の先端に植設する構成に限定するものではなく、ブラシ１９の基端部をガイド部１８の側面に接着等により固定してもよい。また、ガイド部１８及びブラシ１９は、器具本体１２のベース部１６の長さ方向Ｙの一方側端縁部だけに設けてもよい。
【００３３】
上述したように、ベース部１６の幅方向Ｘの両側端部には、一対の側壁部２０が立設さ
れている。本実施形態では、一対の側壁部２０はベース部１６に対して直角をなして立設されている。
【００３４】
各側壁部２０には、ねじ軸２２が固定されている。ねじ軸２２の外周には雄ねじが形成されている。ねじ軸２２は、蝶ねじ２４を用いてウエス保持部３０を器具本体１２に締結固定するための部材である。ウエス保持部３０の取り付けについては後述する。
【００３５】
ウエス保持部３０は、立壁部３２と、ウエス押さえ部３４とを一体に有している。ウエス保持部３０は、例えば、金属板を曲げ加工して形成されるか、或いは、樹脂成型品によって好適に構成される。
【００３６】
立壁部３２には、ねじ挿通孔３６が形成されている。ねじ挿通孔３６に器具本体１２のねじ軸２２を挿通した後、蝶ねじ２４をねじ軸２２に螺合させて締め付けることにより、ウエス保持部３０を器具本体１２に固定することができる。
【００３７】
ウエス押さえ部３４は、立壁部３２の下端から幅方向外側に延びて側面Ｕ字状に曲がった形状を有している。ウエス押さえ部３４がこのような形状に形成されていることで、後述するようにウエスを移動手摺レール２の張り出し部８ａ，８ｂの上面、端面及び下面に押し付けた状態とすることができる。なお、移動手摺レール２の張り出し部８ａ，８ｂには樹脂製のクリップガイドが幅方向外側から嵌め込まれて設置されることがあるが、この場合にはクリップガイドの上面、端面、下面が移動手摺レール２の張り出し部８ａ，８ｂの上面、端面及び下面を構成することになる。
【００３８】
ウエス押さえ部３４において移動手摺レール２の張り出し部８ａ，８ｂの下面に対向する内面には、ウエスＷに張力を付与するための突起３８が設けられている。本実施形態において突起３８は、略半円状の側面形状を有し、且つ、長さ方向Ｙに沿って延在する突条として形成されている。このような突起３８が形成されていることで、ウエスＷを適度に張った状態でウエス保持部３０によって保持することができ、これによりウエスＷを移動手摺レール２の張り出し部８ａ，８ｂの上面、端面及び下面にしっかりと接触させて確実に拭き掃除することができる。なお、移動手摺レール２の張り出し部８ａ，８ｂには樹脂製のクリップガイドが幅方向外側から嵌め込まれて設置されることがあるが、この場合にはウエスＷをクリップガイドの上面、端面及び下面にしっかりと接触させて確実に拭き掃除することができる。
【００３９】
次に、図３及び図４を参照して、移動手摺レール２への清掃器具１０の組み付けについて説明する。図３は、移動手摺レール２に、ウエスＷと、清掃器具１０の器具本体１２とが組み付けられた状態を示す（ａ）上面図、（ｂ）正面図、及び、（ｃ）側面図である。図４は、図３に示す清掃器具１０の器具本体１２にウエス保持部３０が取り付けられる様子を示す（ａ）上面図、及び、（ｂ）正面図である。
【００４０】
図３（ａ）〜（ｃ）に示すように、まず、細幅のウエスＷを移動手摺レール２の上に載置する。ここで、ウエスＷとは、機械類に付いた油等のよごれを拭き取ってきれいにするために用いる布である。ウエスＷの長さ方向Ｙの寸法Ｓは、ウエスＷを切るか又は折り畳むことによって、器具本体１２の一対のガイド部１８間に入る程度に調整することが好ましい。
【００４１】
その後、移動手摺レール２上に載置されたウエスＷの上に、器具本体１２を配置する。このとき、器具本体１２は、一対のガイド部１８間にウエスＷが位置するように載置される。
【００４２】
そして、図４（ａ），（ｂ）に示すように、ウエス保持部３０を器具本体１２に取り付ける。具体的には、ウエス保持部３０のウエス押さえ部３４の内側にウエスＷを介して移動手摺レール２の張り出し部８ａ，８ｂが嵌り込むように、ウエス保持部３０を幅方向外側から押し込む。このとき、ウエス保持部３０の立壁部３２に形成されたねじ挿通孔３６に、器具本体１２のねじ軸２２が挿通された状態とする。そして、この状態で、ねじ軸２２の先端に蝶ねじ２４を螺合させて締め付ける。これにより、ウエス保持部３０が器具本体１２に締結されて固定され、その結果、図１（ａ），（ｂ）に示すように、清掃器具１０が移動手摺レール２に組み付けられる。
【００４３】
ここで、蝶ねじ２４は、図４（ｂ）に示すように、鎖２５でウエス保持部３０に繋げられているのが好ましい。このようにすれば、蝶ねじ２４がウエス保持部３０から脱落してしまうのを防止することができ、清掃作業の容易化に寄与することができる。なお、鎖２５に代えて、紐を用いて蝶ねじ２４をウエス保持部３０に繋げてもよい。
【００４４】
上記のようにしてウエス保持部３０が器具本体１２に固定されたとき、ウエスＷは、ウエス保持部３０のウエス押さえ部３４によって、移動手摺レール２の各張り出し部８ａ，８ｂの上面、端面及び下面に押し付けられた状態になっている。
【００４５】
この状態で、保守員は清掃器具１０の器具本体１２の幅方向中央部を手で掴んで、清掃器具１０を移動手摺レール２に沿って矢印Ａ方向に移動させる。このとき、保守員は、上層階側から下層階側へ向けて清掃器具１０を下り傾斜となる移動手摺レール２に沿って移動させるのが好ましい。そうすれば、ブラシ１９によって掃き集められる塵埃を取りこぼすことなく、下層階側の移動手摺レール２の底面４上において塵埃を掃き集めることができる。
【００４６】
ただし、清掃器具１０の移動方向は上層階側から下層階側に限定されるものではなく、これとは逆に下層階側から上層階側に移動させてブラシ１９による移動手摺レール２の底面４の掃き清掃を行ってもよいし、或いは、清掃器具１０を上層階と下層階との間で複数回移動させて移動手摺レール２の底面４の掃き清掃を行ってもよい。
【００４７】
そして、上記のようにして清掃器具１０のブラシ１９によって掃き集められた塵埃は、例えば、下層階側に準備した掃除機で吸引除去される。
【００４８】
また、上記のように清掃器具１０を移動手摺レール２に沿って移動させる際、ガイド部１８が移動手摺レール２の一対の側壁６ａ，６ｂ間に嵌り込んで案内機能を果たすと共に、ウエス保持部３０が一対の張り出し部８ａ，８ｂに嵌り込んで固定されていることで案内機能を果たすことができる。したがって、清掃器具１０を移動手摺レール２に添って安定した状態で移動させることができ、移動手摺レール２の清掃作業を容易なものにすることができる。
【００４９】
さらに、上記のように清掃器具１０を移動させることで、ウエスＷによって移動手摺レール２の一対の張り出し部８ａ，８ｂの上面、端面及び下面が拭き掃除される。その結果、一対の張り出し部８ａ，８ｂに付着した移動手摺の磨耗粉等の塵埃や、油等の汚れがウエスＷによってきれいに拭き取ることができる。したがって、本実施形態の清掃器具１０では、移動手摺レール２の底面４に溜まった塵埃の掃き清掃と、移動手摺レール２の一対の張り出し部８ａ，８ｂの拭き清掃とを同時に行うことができ、移動手摺レール２の清掃作業を容易かつ迅速に行うことが可能になる。
【００５０】
上述したように本実施形態の清掃器具１０を用いて移動手摺レール２の清掃を行えば、保守員等が掃除機を持ちながら階段状のエスカレーターを上り下りしながら清掃しなくてもよく、このように上り下りする間に掃除機のコードに足が引っ掛かることもない。したがって、本実施形態の清掃器具１０によれば、移動手摺レール２の清掃作業を安全かつ容易に行うことができる。
【００５１】
なお、上記においてはエスカレーターの移動手摺レールを清掃する場合について説明したが、これに限定されるものではない。本発明に係る移動手摺レール清掃器具は、歩く歩道等の乗客コンベヤーの一部を構成する移動手摺レールの清掃に用いられてもよい。
【００５２】
また、上記においては、蝶ねじ２４を用いてウエス保持部３０を器具本体１２に取り付ける例について説明したが、これに限定されるものではなく、レンチやドライバ等の工具によって締め付けられるねじを用いてウエス保持部を器具本体に取り付けてもよい。
【符号の説明】
【００５３】
２  移動手摺レール、４  底面、６ａ，６ｂ  側壁、８ａ，８ｂ  張り出し部、１０    移動手摺レール清掃器具、１２  器具本体、１６  ベース部、１８  ガイド部、１９    ブラシ、２０  側壁部、２２  ねじ軸、２５  鎖、３０  ウエス保持部、３２  立壁  部、３４  ウエス押さえ部、３６  ねじ挿通孔、３８  突起、Ｗ  ウエス。
【図１】
2020011789.tif 000003
【図２】
2020011789.tif 000004
【図３】
2020011789.tif 000005
【図４】
2020011789.tif 000006